(57)【特許請求の範囲】
【請求項１】
カラー陰極線管に装着される偏向ヨークであって、
前記カラー陰極線管のネック部側に対応させて巻始め側と巻終わり側の引き出しリード線を有するベンドレスタイプの水平偏向コイルと、垂直偏向コイル、磁性体コアおよび内周面に水平偏向コイルを装着し、外周面に垂直偏向コイルを装着するコイルセパレーター１とリアカバー６を具備し、
コイルセパレーター１のネック部側に水平偏向コイルの引き出しリード線５を引き出す孔２または／およびスリット２Aと引き出しリード線５を引き回すネック側配線用溝４を設けるとともに、リアカバー６には引き出しリード線５を引き回すリアカバー側配線用溝４Aを設けたことを特徴とする偏向ヨーク。
【請求項２】
前記引き出しリード線５を引き回すネック側配線用溝４を形成する壁３は一体型コアがそのままコイルセパレーター１に装着できる高さで形成したことを特徴とする請求項１記載の偏向ヨーク。
【発明の詳細な説明】
【０００１】
【発明が属する技術分野】
本発明は、テレビジョン受像機やコンピュータ用ディスプレイ等のカラー陰極線管に装着される偏向ヨークに係わり、特にはベンドレスタイプの水平偏向コイルの巻始め側と巻終わり側の引き出しリード線を引き回す溝をコイルセパレーターのネック部側とリアカバーに設けた偏向ヨークに関するものである。
【０００２】
【従来の技術】
ベンドレスタイプの水平偏向コイルは、図３に斜視図で示すコイルセパレーター１の内周面に装着されている。また、巻始め側と巻終わり側の各引き出しリード線５は、カラー陰極線管に装着された時のスクリーン側に対応する部分に設けた溝を介してそれぞれ引き回され、コイルセパレーター１の外周上に配設される基板に接続され用いられている。
【０００３】
【発明が解決しようとする課題】
ところで図４（ｂ）のようなベンドレスタイプの水平偏向コイルの場合には、コイルの巻始め側と巻終わり側の引き出しリード線５Bをコイルのスクリーン側から引き出すことが可能であるため、水平偏向コイルをコイルセパレーター１に組み付ける時には図３のように引き出しリード線５Bをコイルセパレーター１のスクリーン側から引き出し、図示していないがコイルセパレーター１の外周上に配設した基板に接続している。
一方、図４（ａ）のように、水平偏向コイルの窓側中間部にコイル巻始めの数ターンを小コイル部として構成した水平サブ偏向コイル７を備えたベンドレスタイプの水平偏向コイルの場合には、コイルの巻始め側と巻終わり側の引き出しリード線５をスクリーン側から引き出すことが困難なため、巻始め側と巻終わり側の引き出しリード線５はネック部側から引き出していた。
しかし、引き出しリード線５をネック部側から引き出し、偏向ヨークを組み立てる場合には、巻始め側と巻終わり側の引き出しリード線５を引き回すとともに、コイルセパレーター１のネック側に装着されるリアカバー（図示せず）で挟まないよう組み立てなくてはならず、組み立て作業性に難点があるほか、コイルセパレーター１の外周面に装着される垂直偏向コイルとの間の絶縁距離を確保し難かった。
【０００４】
そこで、本発明の目的は簡便な手段で、巻始め側と巻終わり側の引き出しリード線の引き回しが簡単で組み立て作業性に優れるとともに、垂直偏向コイルとの間の絶縁距離の確保が容易な水平サブ偏向コイル７を備えたベンドレスタイプの水平偏向コイルを具備する偏向ヨークを提供することにある。
【０００５】
【課題を解決するための手段】
第１の観点では、本発明はカラー陰極線管に装着される偏向ヨークであって、
前記カラー陰極線管のネック部側に対応させて巻始め側と巻終わり側の引き出しリード線を有するベンドレスタイプの水平偏向コイルと、垂直偏向コイル、磁性体コアおよび内周面に水平偏向コイルを装着し、外周面に垂直偏向コイルを装着するコイルセパレーター１とリアカバー６を具備し、
コイルセパレーター１のネック部側に水平偏向コイルの引き出しリード線５を引き出す孔２または／およびスリット２Aと引き出しリード線５を引き回すネック側配線用溝４を設けるとともに、リアカバー６には引き出しリード線５を引き回すリアカバー側配線用溝４Aを設けたことを特徴とする偏向ヨークを提供する。
第１の観点による偏向ヨークは、コイルセパレーター１のネック部側に水平偏向コイルの引き出しリード線５を引き出す孔２または／およびスリット２Aと引き出しリード線５を引き回すネック側配線用溝４を設けるとともに、リアカバー６には引き出しリード線５を引き回すリアカバー側配線用溝４Aを設けたので、巻始め側と巻終わり側の引き出しリード線５をネック側配線用溝４，リアカバー側配線用溝４Aを介して簡単に引き回せるので、偏向ヨークの組み立て作業性が向上し、垂直偏向コイル間の絶縁距離も確保し易くなる。
【０００６】
第２の観点では、本発明は前記引き出しリード線５を引き回すネック側配線用溝４を形成する壁３は一体型コアがそのままコイルセパレーター１に装着できる高さで形成したことを特徴とする請求項１記載の偏向ヨークを提供する。
第２の観点による偏向ヨークは、引き出しリード線５を引き回すネック側配線用溝４を形成する壁３は一体型コアがそのままコイルセパレーター１に装着できる高さなので安価な偏向ヨークを提供できる。
【０００７】
【発明の実施の形態】
以下、本発明を図に示す実施例により具体的に説明する。なお、これにより本発明が限定されるものではない。
【０００８】
−実施形態−
図１は、本発明の実施形態にかかる偏向ヨークの要部構成を示す説明図で、同図（ａ）はネック部側平面図、同図（ｂ）はネック部側側面図である。図２は、本発明の実施形態にかかる偏向ヨークに用いられるリアカバーの構成を示す平面図である。
図において、１は本発明による偏向ヨークの特徴をなすコイルセパレーターで、２，２Aはコイルセパレーター１のネック部側にそれぞれ設けた穴とスリットで、３はコイルセパーター１ネック部側に設けた引き出しリード線５を引き回すためのネック側配線用溝４を形成する壁である。この壁３は一体型コア（図示せず）がコイルセパーター１の外周にそのまま装着できる高さで形成されている。
３Aはリアカバー６側に設けた引き出しリード線５を引き回すためのリアカバー側配線用溝４Aを形成する壁である。
５はコイルセパーター１の内周面に装着される水平サブ偏向コイル７を具備するベンドレスタイプの水平偏向コイルからの巻始め側と巻終わり側の引き出しリード線である。
【０００９】
本発明による偏向ヨークは、巻始め側の引き出しリード線５はスリット２Aを介してリアカバー６に設けたリアカバー側配線用溝４Aに収納され、巻終わり側の引き出しリード線５はコルセパーター１に設けた孔２を介してコイルセパーター１のネック側配線用溝４に収納せしめられ、さらにスリット２Aを介してリアカバー６のリアカバー側配線用溝４Aに収納されて引き回されて基板等に接続され構成される。
従って、偏向ヨークの組み立て作業性が大幅に向上するとともに、垂直偏向コイルとの間の絶縁距離が確実に確保される。
また、ネック側配線用溝４を形成する壁３は、一体型コアがそのままコイルセパレーター１に装着できる高さで形成したので安価な偏向ヨークを提供できる。
【００１０】
【発明の効果】
本発明の偏向ヨークは、コイルセパレーターとリアカバーに引き出しリード線を引き回す溝を設けるほか、穴やスリットを設ける簡便な手段で、水平サブ偏向コイル７を具備するベンドレスタイプの水平偏向コイルの巻始め側と巻終わり側の引き出しリード線の引き回しが簡単になり、組み立て作業性が向上するとともに、安価な偏向ヨークを提供でき、その実用上の効果は大きなものがある。
【図面の簡単な説明】
【図１】  本発明の実施形態にかかる偏向ヨークの要部構成を示す説明図で、同図（ａ）はネック部側平面図、同図（ｂ）はネック部側側面図である。
【図２】  本発明の実施形態にかかる偏向ヨークに用いられるリアカバーの構成を示す平面図である。
【図３】  来例の偏向ヨークに用いられ内周面に水平偏向コイルを収納したコイルセパレーターの構成を示す斜視図である。
【図４】  同図（ａ）は本発明の実施形態にかかる偏向ヨークに用いられる水平サブ偏向コイルを備えたベンドレスタイプの水平偏向コイルの説明図である。
同図（ｂ）は来例の偏向ヨークに用いられる水平サブ偏向コイルを備えていないベンドレスタイプの水平偏向コイルの説明図である。
【符号の説明】
１  コイルセパレーター
２  穴
２A  スリット
３  壁
４  ネック側配線用溝
４A  リアカバー側配線用溝
５  引き出しリード線（水平サブ偏向コイル有り）
５B  引き出しリード線（水平サブ偏向コイル無し）
６  リアカバー
７  水平サブ偏向コイル
【図１】
0003636297.tif 000002
【図２】
0003636297.tif 000003
【図３】
0003636297.tif 000004
【図４】
0003636297.tif 000005